(57)【要約】【課題】カメラシステムに予めレンズユニットとカメラ本体の組合わせを設定するペアリングの機能を具備し、無線通信による認証動作を行うことで、ユーザーが無線通信による遠隔撮影を行うことができることを目的とする。【解決手段】カメラシステム６０において、カメラ本体６１にレンズユニット６２を装着し、カメラ本体６１より電気的通信手段により識別情報及び認証コードをレンズユニット６２へ送信し、レンズユニット６２がこれらを記憶することでカメラ本体６１との組み合わせを設定し、これにより、分離状態において無線通信を介して組合わせが認証されることで無線通信を介した撮像を可能とする。【選択図】図１
2007116474.tif 000002
【特許請求の範囲】
【請求項１】
画像処理装置及び画像処理装置に着脱可能な撮像装置により構成さる撮像システムにおいて、
前記撮像装置が前記画像処理装置に装着されている場合に、前記撮像装置と前記画像処理装置間において、電気的通信を介して画像データと撮像制御情報を送受信する通信手段と、同じく電気的通信を介して撮像装置と画像処理装置の組み合わせを特定するための認証情報を設定する通信手段と、一方、撮像装置が画像処理装置から分離されている場合に、撮像装置と画像処理装置間において、無線通信による手段で前記認証情報に基づいた認証手順を実行する認証手段と、前記認証手順の完了後に無線通信を介して画像データと撮像制御情報を送受信する通信手段を備えることを特徴とする撮像システム。
【請求項２】
撮像レンズ及び撮像素子を有するレンズユニットが着脱自在に装着されるカメラ本体において、
レンズユニットと無線通信を行う通信手段と、レンズユニットを装着した場合にレンズユニットと電気的通信を行う通信手段と、前記無線通信を介した撮像を開始する前に無線通信を介してレンズユニットに対してカメラ本体の識別情報及び認証コードによる認証手順を実行する認証手段と、前記識別情報を不揮発性メモリに記録する記録手段と、レンズユニットのカメラ本体からの着脱を検知する検知手段を備えることを特徴とするカメラ本体。
【請求項３】
カメラ本体に着脱可能で撮像レンズ及び撮像素子を有するレンズユニットにおいて、
カメラ本体と無線通信を行う通信手段と、前記カメラ本体に装着された場合にカメラ本体と電気的通信を行う通信手段と、前記無線通信を介した撮像を開始する前に無線通信を介してカメラ本体の識別情報及び認証コードによる認証手順を実行する認証手段と、前記認証コードと前記カメラ本体の識別情報を関連付けて記録する記録手段を備えることを特徴とするレンズユニット。
【請求項４】
請求項２記載のカメラ本体と請求項３記載のレンズユニットにより構成されるカメラシステムにおいて、
カメラ本体にレンズユニットを装着した状態において、カメラ本体より電気的通信手段によりカメラ本体の識別情報及び認証コードをレンズユニットへ送信し、レンズユニットが前記識別情報及び前記認証コードを記憶することでカメラ本体とレンズユニットの組み合わせを設定し、カメラ本体とレンズユニットが分離した状態において、カメラ本体からレンズユニットへ前記カメラ本体の識別情報及び前記認証コードが無線通信を介して送信され認証されることで無線通信を介した撮像が可能となることを特徴とするカメラシステム。
【請求項５】
前記レンズユニットが１組以上の前記認証コードと前記カメラ本体の識別情報を関連付けて不揮発性メモリに記録する記録手段を備えることを特徴とする請求項４記載のカメラシステム。
【請求項６】
前記認証コードが前記カメラ本体において乱数で生成され、前記レンズユニットはレンズユニットの識別情報を予め不揮発性メモリに格納し、カメラ本体にレンズユニットを装着した状態において前記レンズユニットの識別情報がレンズユニットからカメラ本体に送信され、カメラ本体がレンズユニット識別情報を前記認証コードと関連付けて不揮発性メモリに記録することを特徴とする請求項５記載のカメラシステム。
【請求項７】
前記レンズユニットが記録している全ての前記認証コードと前記カメラ本体の前記識別情報の組み合わせリストをカメラ本体へ送信し、前記リストをカメラ本体のモニタに表示し、外部操作により前記リスト中から任意に選択されたカメラ本体の前記認証コード及び前記識別情報の組み合わせをカメラ本体よりレンズユニットに通知し、前記組み合わせをレンズユニットの不揮発性メモリから消去することを特徴とする請求５ないし６いずれか記載のカメラシステム。
【請求項８】
前記カメラ本体が前記リストにあるカメラ本体の識別情報を内部の不揮発性メモリに記録してあるカメラ本体の識別情報を比較して一致した場合は記録している対応する前記レンズユニットの識別情報及び認証コードを消去することを特徴とする請求項７記載のカメラシステム。
【請求項９】
前記無線通信手段としてＢｌｕｅｔｏｏｔｈを使用して、前記カメラ本体の前記識別情報としてＢＤアドレスを使用し、前記認証コードとしてＰＩＮコードを使用することを特徴とする請求請求項４ないし８いずれか記載のカメラシステム。
【請求項１０】
前記無線通信手段として無線ＬＡＮを使用して、前記カメラ本体の前記識別情報としてＭＡＣアドレスを使用し、前記認証コードはＷＥＰキーを使用することを特徴とする請求項４ないし８いずれか記載のカメラシステム。
【請求項１１】
前記カメラ本体に前記レンズユニットを装着した状態において、カメラ本体がカメラ本体の名称を前記電気的通信手段によりレンズユニットへ送信し、レンズユニットが前記名称を前記識別情報と関連付けて内部の不揮発性メモリに記録することを特徴とする請求項４ないし１０いずれか記載のカメラシステム。
【請求項１２】
前記カメラ本体の名称をカメラ本体の外部より書き換えるためのインターフェースを具備することを特徴とする請求項１１記載のカメラシステム。
【請求項１３】
前記カメラ本体が前記レンズユニットからレンズユニットの名称を受信し、前記名称をＥＳＳ  ＩＤとして無線通信を開始することを特徴とする請求項１０記載のカメラシステム。
【請求項１４】
前記レンズユニットの識別情報としてＭＡＣアドレスを使用することを特徴とする請求項６記載のカメラシステム。
【請求項１５】
撮像レンズ及び撮像素子を有するレンズユニットが着脱自在に装着されるカメラ本体において、
レンズユニットと無線通信を行う通信手段と、レンズユニットを装着した場合にレンズユニットと電気的通信を行う通信手段と、1個以上のレンズユニットに対して重複なくＩＰアドレスを発行する発行手段と、前記無線通信を介した撮像を開始する前にレンズユニットに対して無線通信を介してカメラ本体の識別情報と認証コードと前記ＩＰアドレスによる認証手順を実行する認証手段と、カメラ本体の識別情報を不揮発性メモリに記録する記録手段と、レンズユニットのカメラ本体からの着脱を検知する検知手段を備えることを特徴とするカメラ本体。
【請求項１６】
カメラ本体に着脱可能で撮像レンズ及び撮像素子を有するレンズユニットにおいて、
カメラ本体と無線通信を行う通信手段と、前記カメラ本体に装着された場合にカメラ本体と電気的通信を行う通信手段と、前記無線通信を介した撮像を開始する前に無線通信を介してカメラ本体の識別情報と認証コードとＩＰアドレスによる認証手順を実行する認証手段と、前記認証コードと前記カメラ本体の識別情報と前記ＩＰアドレスを関連付けて記録する記録手段を備えることを特徴とするレンズユニット。
【請求項１７】
請求項１５記載のカメラ本体と請求項１６記載のレンズユニットにより構成されるカメラシステムにおいて、
カメラ本体にレンズユニットを装着した状態において、カメラ本体より電気的通信手段によりカメラ本体の識別情報と認証コードとレンズユニットのＩＰアドレスをレンズユニットへ送信し、レンズユニットが前記識別情報と前記認証コードと前記ＩＰアドレスを関連付けて記憶することでカメラ本体とレンズユニットの組み合わせを設定し、カメラ本体とレンズユニットが分離した状態において、カメラ本体からレンズユニットへ前記カメラ本体の識別情報と前記認証コードと前記ＩＰアドレスが無線通信を介して送信され認証されることで無線通信を介した撮像が可能となることを特徴とするカメラシステム。
【請求項１８】
前記レンズユニットが１組以上の前記認証コードと前記カメラ本体の識別情報と前記ＩＰアドレスを関連付けて不揮発性メモリに記録する記録手段を備えることを特徴とする請求項１７記載のカメラシステム。
【請求項１９】
前記カメラ本体の識別情報はデジタルカメラ本体において乱数で生成され、前記レンズユニットはレンズユニットの識別情報を予め不揮発性メモリに格納し、カメラ本体にレンズユニットを装着した状態においてレンズユニットの識別情報がレンズユニットからカメラ本体に送信され、カメラ本体が前記レンズユニット識別情報を前記認証コードと関連付けて不揮発性メモリに記録することを特徴とする請求項１８記載のカメラシステム。
【請求項２０】
前記レンズユニットが記録している全ての前記認証コードと前記カメラ本体の前記識別情報の組み合わせリストをカメラ本体へ送信し、前記リストをカメラ本体のモニタに表示し、外部操作により前記リスト中から任意に選択されたカメラ本体の前記認証コード及び前記識別情報の組み合わせをカメラ本体よりレンズユニットに通知し、前記組み合わせをレンズユニットの不揮発性メモリから消去することを特徴とする請求１８ないし１９いずれか記載のカメラシステム。
【請求項２１】
前記カメラ本体が前記リストにあるカメラ本体の識別情報を内部の不揮発性メモリに記録してあるカメラ本体の識別情報を比較して一致した場合は記録している対応する前記レンズユニットの識別情報と認証コードとＩＰアドレスを消去することを特徴とする請求項２０記載のカメラシステム。
【請求項２２】
前記無線通信手段として無線ＬＡＮを使用して、前記カメラ本体の前記識別情報としてＭＡＣアドレスを使用し、前記認証コードとしてＷＥＰコードを使用することを特徴とする請求１７ないし２１いずれか記載のカメラシステム。
【請求項２３】
前記カメラ本体に前記レンズユニットを装着した状態において、カメラ本体がカメラ本体の名称を前記電気的通信手段によりレンズユニットへ送信し、レンズユニットが前記名称を前記識別情報と関連付けて内部の不揮発性メモリに記録することを特徴とする１７ないし２２いずれか記載のカメラシステム。
【請求項２４】
前記カメラ本体の名称をカメラ本体の外部より書き換えるためのインターフェースを具備することを特徴とする請求項２３記載のカメラシステム。
【請求項２５】
カメラ本体とカメラ本体に着脱可能で撮像レンズ及び撮像素子を有するレンズユニットにおいて、
カメラ本体と無線通信を行う通信手段と、カメラ本体に装着された場合にカメラ本体と電気的通信を行う通信手段と、前記無線通信を介した撮像を開始する前にカメラ本体に対して無線通信を介してレンズユニットの識別情報及び認証コードによる認証手順を実行する認証手段と、レンズユニットの識別情報を不揮発性メモリに記録する記録手段を備えることを特徴とするレンズユニット。
【請求項２６】
撮像レンズ及び撮像素子を有するレンズユニットが着脱自在に装着されるカメラ本体において、
レンズユニットと無線通信を行う通信手段と、前記レンズユニットを装着した場合にレンズユニットと電気的通信を行う通信手段と、前記無線通信を介した撮像を開始する前に無線通信を介してレンズユニットの識別情報及び認証コードによる認証手順を実行する認証手段と、前記認証コードとレンズユニットの識別情報を関連付けて記録する記録手段と、レンズユニットのカメラ本体からの着脱を検知する検知手段を備えることを特徴とするカメラ本体。
【請求項２７】
請求項２６記載のカメラ本体と請求項２５記載のレンズユニットにより構成されるカメラシステムにおいて、
カメラ本体にレンズユニットを装着した状態において、レンズユニットより電気的通信手段によりレンズユニットの識別情報及び認証コードをカメラ本体へ送信し、カメラ本体が前記識別情報及び前記認証コードを記憶することでカメラ本体とレンズユニットの組み合わせを設定し、カメラ本体とレンズユニットが分離した状態において、レンズユニットからカメラ本体へ前記レンズユニットの識別情報及び前記認証コードが無線通信を介して送信され認証されることで無線通信を介した撮像が可能となることを特徴とするカメラシステム。
【請求項２８】
前記カメラ本体が１組以上の前記認証コードと前記レンズユニットの識別情報を関連付けて不揮発性メモリに記録する手段を備えることを特徴とする請求項２７記載のカメラシステム。
【請求項２９】
前記カメラ本体に前記レンズユニットを装着した状態において、レンズユニットがレンズユニットの名称を前記電気的通信手段によりカメラ本体へ送信し、カメラ本体が前記名称を前記レンズユニットの識別情報と関連付けて内部の不揮発性メモリに記録することを特徴とする請求２７ないし２８いずれか記載のカメラシステム。
【請求項３０】
前記カメラ本体に前記レンズユニットを装着した状態において、前記レンズユニットの名称をカメラ本体の外部より書き換えるためのインターフェースを具備することを特徴とする請求項２９記載のカメラシステム。
【請求項３１】
前記カメラ本体が記録している１組以上の前記認証コードと前記レンズユニットの識別情報の消去を実行する場合に、レンズユニットの名称をカメラ本体のモニタに表示することを特徴とする請求２９ないし３０いずれか記載のカメラシステム。
【請求項３２】
レンズユニットが着脱自在に装着できる無線通信アダプタにおいて、
カメラ本体と無線通信を行う通信手段と、レンズユニットと接続した場合にレンズユニットと電気的通信を行う通信手段と、カメラ本体から受信したレンズユニットへの命令を判別する判別手段と、レンズユニットの無線通信アダプタからの着脱を検知する検知手段を備えることを特徴とする無線通信アダプタ。
【請求項３３】
撮像レンズ及び撮像素子を有するレンズユニットが着脱自在に装着されるカメラ本体において、
前記無線通信アダプタと無線通信を行う通信手段と、レンズユニットを装着した場合にレンズユニットと電気的通信を行う通信手段と、前記無線通信を介した撮像を開始する前に無線通信を介して無線通信アダプタに対してカメラ本体の識別情報及び認証コードによる認証手順を実行する認証手段と、カメラ本体の識別情報を不揮発性メモリに記録する記録手段と、レンズユニットのカメラ本体からの着脱を検知する検知手段を備えることを特徴とするデジタルカメラのカメラ本体。
【請求項３４】
カメラ本体に着脱可能で撮像レンズ及び撮像素子を有するレンズユニットにおいて、
前記カメラ本体に装着された場合にカメラ本体と電気的通信を行う通信手段と、前記無線通信アダプタに装着した場合に無線通信アダプタと電気的通信を行う通信手段と、前記無線通信を介した撮像を開始する前に無線通信を介してカメラ本体の識別情報及び認証コードによる認証手順を実行する認証手段と、前記認証コードとカメラ本体の識別情報を関連付けて記録する記録手段を備えることを特徴とするレンズユニット。
【請求項３５】
請求項３２記載の無線通信アダプタと請求項３３記載のカメラ本体と請求項３４記載のレンズユニットにより構成されるカメラシステムにおいて、
カメラ本体にレンズユニットを装着した状態において、カメラ本体より電気的通信手段によりカメラ本体の識別情報及び認証コードをレンズユニットへ送信し、レンズユニットが前記識別情報及び前記認証コードを記憶することでカメラ本体とレンズユニットの組み合わせを設定し、カメラ本体とレンズユニットが分離した状態かつ無線通信アダプタにレンズユニットが装着された状態において、レンズユニットから無線通信アダプタへ前記カメラ本体の識別情報及び前記認証コードが前記電気的通信手段を介して送信されて、カメラ本体から無線通信アダプタへ前記カメラ本体の識別情報及び前記認証コードが無線通信を介して送信され認証されることで無線通信を介した撮像が可能となることをとするカメラシステム。
【発明の詳細な説明】
【技術分野】
【０００１】
本発明はカメラ本体とカメラ本体に着脱可能なレンズユニットから構成されるカメラシステムおいて、カメラ本体とレンズユニットの組み合わせを設定するペアリングを行うカメラシステムに関するものである。
【背景技術】
【０００２】
近年、ＣＣＤなどの撮像素子を用いて撮像した撮影画像をデジタルの画像データに変換し、内蔵メモリやメモリカードなどの記録媒体に記録するデジタルカメラが普及している。デジタルカメラの中には、撮影レンズがカメラボディに一体化された一体型のものと、各種撮影レンズがカメラボディに着脱可能にされたレンズ交換型のものとがある。
【０００３】
最近では、撮像素子の小型化、画素数の増加が進んできていることから、レンズ交換型のデジタルカメラの新しい構成として、撮像素子を交換用のレンズユニット側に組み込むことが検討されている。これによって、レンズユニットとカメラボディとを光学的に接続する必要がなくなる。さらに、撮影レンズの駆動機構や撮像素子を駆動させるための駆動回路なども交換レンズ側に内蔵することによって、レンズユニット側とカメラボディ側との通信は、電気的な信号を送るための電気接点を介した接続だけでよいため、構造を比較的簡易にすることができるという利点を得ることができる。
さらに、特許文献１〜３にあるようにレンズユニットとカメラ本体にそれぞれ無線通信機能を具備することでお互いに通信を行うことも検討されている。
【０００４】
特許文献１では、撮像部と画像表示部を分離して使用でき、分離の状態では高圧縮して表示部側に無線伝送し、合体の状態では低圧縮して表示部側に有線伝送し、表示部側で元のデータに伸張してモニタ画面に表示することで撮像部から表示部へ最適な画像伝送を行えるカメラシステムが提案されている。
【０００５】
特許文献２では、無線送受信回路を具備することで、バッテリ残量やレンズ情報等のカメラ部の状態を、カメラ部から分離された表示記録部で確認できるカメラシステムが提案されている。
【０００６】
特許文献３では、２次電池を有する鏡筒と、カメラ本体とを備え、該カメラ本体側より電源供給する事により該２次電池が充電され、鏡筒は撮像素子を有し、２次電池からの電源供給により該撮像素子が駆動され、該撮像素子からの画像信号が前記カメラ本体側にワイヤレス送信されるカメラシステムが提案されている。
【特許文献１】特開平１０−１１７３０２号
【特許文献２】特願平８−６６３５９号
【特許文献３】特願平１０−９９２７１号
【発明の開示】
【発明が解決しようとする課題】
【０００７】
しかしながら、上記特許文献１、２、３では、レンズユニットとカメラ本体で無線通信する際に組み合わせを設定するペアリング処理が欠けているため、不特定多数のレンズユニットとカメラ本体の組合わせをお互いに認識させることができず、無線通信を介した撮影等の制御を行うことができない。
【０００８】
本発明は、上記課題を解決するためになされたもので、カメラシステムに予めレンズユニットとカメラ本体の組合わせを設定するペアリングの機能を具備し、無線通信による認証動作を行うことで、ユーザーが無線通信による遠隔撮影を行うことができることを目的とする。
【課題を解決するための手段】
【０００９】
上記課題を解決するため、本発明のカメラ本体とカメラ本体に着脱可能で撮像レンズ及び撮像素子を有するレンズユニットから構成されるカメラシステムおいて、カメラ本体に、レンズユニットと無線通信を行う手段と、レンズユニットを装着した場合にレンズユニットと電気的通信を行う手段と、無線通信を介した撮像を開始する前に無線通信を介してレンズユニットに対してカメラ本体の識別情報及び認証コードによる認証手順を実行する手段と、前記識別情報を不揮発性メモリに記録する手段と、レンズユニットのカメラ本体からの着脱を検知する手段を備える。
【００１０】
一方、レンズユニットに、カメラ本体と無線通信を行う手段と、前記カメラ本体に装着された場合にカメラ本体と電気的通信を行う手段と、前記無線通信を介した撮像を開始する前に無線通信を介してカメラ本体の識別情報及び認証コードによる認証手順を実行する手段と、前記認証コードと前記カメラ本体の識別情報を関連付けて記録する手段を備える。
【００１１】
前記カメラ本体と前記レンズユニットにより構成されるカメラシステムについて、カメラ本体にレンズユニットを装着した状態において、カメラ本体より電気的通信手段によりカメラ本体の識別情報及び認証コードをレンズユニットへ送信し、レンズユニットが前記識別情報及び前記認証コードを記憶することでデジタルカメラとレンズユニットの組み合わせを設定し、カメラ本体とレンズユニットが分離した状態において、カメラ本体からレンズユニットへ前記カメラ本体の識別情報及び前記認証コードが無線通信を介して送信され認証されることで無線通信を介した撮像が可能となる認証機能を備える。
【００１２】
認証コードは、カメラ本体において乱数で生成されるか、もしくは、予めカメラ本体の不揮発性メモリに書き込み済みでも良い。
【００１３】
また、レンズユニットが１組以上の前記認証コードと前記カメラ本体の識別情報を関連付けて不揮発性メモリに記録する手段を備える。
【００１４】
認証コードがカメラ本体において乱数で生成される場合には、レンズユニットはレンズユニットの識別情報を予め不揮発性メモリに格納し、カメラ本体にレンズユニットを装着した状態において前記レンズユニットの識別情報がレンズユニットからカメラ本体に送信され、カメラ本体がレンズユニット識別情報を前記認証コードと関連付けて不揮発性メモリに記録する。
【００１５】
レンズユニットが記録している全ての前記認証コードとカメラ本体の前記識別情報の組み合わせリストをカメラ本体へ送信し、前記リストをカメラ本体のモニタに表示し、外部操作により前記リスト中から任意に選択されたカメラ本体の前記認証コード及び前記識別情報の組み合わせをカメラ本体よりレンズユニットに通知し、前記組み合わせをレンズユニットの不揮発性メモリから消去する。
【００１６】
さらに、カメラ本体が前記リストにあるカメラ本体の識別情報を内部の不揮発性メモリに記録してあるカメラ本体の識別情報を比較して一致した場合は記録している対応するレンズユニットの識別情報及び認証コードを消去する。
【００１７】
また、カメラ本体にレンズユニットを装着した状態において、カメラ本体がカメラ本体の名称を電気的通信手段によりレンズユニットへ送信し、レンズユニットが前記名称を前記識別情報と関連付けて内部の不揮発性メモリに記録するようにしてもよい。
【００１８】
さらに、カメラ本体の名称をカメラ本体の外部より書き換えるためのインターフェースを具備してもよい。
【００１９】
レンズユニットの識別情報としてＭＡＣアドレスを使用してもよい。
【００２０】
なお、無線通信にＢｌｕｅｔｏｏｔｈを使用して、カメラ本体の識別情報はＢＤアドレスを認証コードはＰＩＮコードを使用してもよい。
【００２１】
また、無線通信に無線ＬＡＮを使用して、カメラ本体の識別情報はＭＡＣアドレスを認証コードはＷＥＰキーを使用してもよい。
【００２２】
この場合、カメラ本体がレンズユニットからレンズユニットの名称を受信し、前記名称をＥＳＳ  ＩＤとして無線通信を開始するようにしてもよい。
【００２３】
前述のシステムについて、無線ＬＡＮとＩＰベースのプロトコルを使用し、カメラ本体に1個以上のレンズユニットに対して重複なくＩＰアドレスを発行する手段を設けて、カメラシステムに識別情報と認証コードに加えてＩＰアドレスによる認証手順を実行する機能を備えるようにしてもよい。
【００２４】
また、前述のシステムについて、カメラ本体ではなく、レンズユニットが認証コードを発行、もしくは予め不揮発性メモリに保持する手段を備えるようにしてもよい。
【００２５】
カメラ本体とカメラ本体に着脱可能で撮像レンズ及び撮像素子を有するレンズユニットと、レンズユニット分離時にレンズユニットと接続してカメラ本体と無線通信が可能な無線通信アダプタから構成されるカメラシステムおいて、カメラ本体に、無線通信アダプタと無線通信を行う手段と、レンズユニットを装着した場合にレンズユニットと電気的通信を行う手段と、前記無線通信を介した撮像を開始する前に無線通信を介して無線通信アダプタに対してカメラ本体の識別情報及び認証コードによる認証手順を実行する手段と、カメラ本体の識別情報を不揮発性メモリに記録する手段と、レンズユニットのカメラ本体からの着脱を検知する手段を備える。
【００２６】
無線通信アダプタに、カメラ本体と無線通信を行う通信手段と、レンズユニットと接続した場合にレンズユニットと電気的通信を行う通信手段と、カメラ本体から受信したレンズユニットへの命令を判別する判別手段と、レンズユニットの無線通信アダプタからの着脱を検知する検知手段を備える。
【００２７】
レンズユニットに、前記カメラ本体に装着された場合にカメラ本体と電気的通信を行う手段と、前記無線通信アダプタに装着した場合に無線通信アダプタと電気的通信を行う手段と、前記認証コードとカメラ本体の識別情報を関連付けて記録する手段を備える。
【００２８】
認証コードは、カメラ本体において乱数で生成されるか、もしくは、予めカメラ本体の不揮発性メモリに書き込み済みでも良い。
【００２９】
前述のシステムは、デジタルカメラだけでなく、広く撮像装置全般に適用することもできる。
【発明の効果】
【００３０】
本発明のカメラシステムによれば、レンズユニットをカメラ本体に装着しただけで、ユーザーの操作を必要とせずにペアリングの処理が完了し、レンズユニットとカメラ本体の分離時には無線通信により認証動作を行い、無線通信による撮影制御が可能となる。
【００３１】
レンズユニットに不揮発性メモリを設け、そこにカメラ本体の認証コードと識別コードを記録することで、電源投入のたびに毎回レンズユニットをカメラ本体に装着してペアリングの処理を行う手間が省ける。
【００３２】
カメラ本体のモニタにレンズユニットが記録しているペアリング済みのカメラ本体のリストを表示して、ユーザーの操作により任意の組を消去し、また、対応するカメラ本体のレンズユニットの情報も自動的に消去する機能を備えることで、ユーザーの利便性を向上させる。
【００３３】
ＭＡＣアドレスを識別情報としたり、無線通信にＢｌｕｅｔｏｏｔｈや無線ＬＡＮ、もしくは無線ＬＡＮにＩＰベースのプロトコルを適用し、また、無線ＬＡＮの場合にレンズユニット名をＥＳＳ  ＩＤとすることで、様々なシステムに柔軟に対応することができる。
【００３４】
さらに、レンズユニット側で認証コードを生成、もしくは予め不揮発性メモリに記録することで、同様な効果を得られる。
【００３５】
また、無線通信アダプタに無線通信機能を持たせたカメラシステムを適用することで、遠隔地からの操作によるレンズの撮影方向の制御が可能となり、また、レンズユニットに無線通信機能と画像の圧縮機能を必要がなくなるためにコストダウンが可能となる。
【００３６】
前述したカメラシステムの適用範囲を撮像装置全般にすることで、他のビデオカメラなどの機器へ広く適用範囲を拡張することができる。
【発明を実施するための最良の形態】
【００３７】
図１にカメラシステムの構成を示す。カメラシステム６０はレンズユニット６２とカメラ本体６１から構成され、レンズユニット６２はカメラ本体６１と電気的接合部であるマウント６５において接続することが可能であり、遠隔撮影を行う場合はカメラ本体６１より取り外し、カメラ本体側アンテナ１９及びレンズユニット側アンテナ１７により無線通信を行うことで撮影制御が可能となる。また、カメラ本体６１には側面にＵＳＢコネクタ３４が設けられて、ＵＳＢケーブル６６により外部のコンピューター６７と接続され、後述するカメラ本体６１及びレンズユニット６２の名称の設定変更等に使用することが可能となっている。
【００３８】
図２はレンズユニット６２とカメラ本体６１の構成を示すブロック図である。レンズユニット６２には、撮像レンズ１とメカニカルシャッター２の後方にイメージセンサとして、ＣＣＤ撮像素子３が配設されている。被写体からの光をＣＣＤ撮像素子３上に結像させるための撮像レンズ１は、ヘッドＣＰＵ９からの制御により駆動されるレンズ駆動回路７の制御により合焦位置に移動するようになっている。なお、イメージセンサには、ＣＣＤ撮像素子３に代えてＣＭＯＳタイプの撮像素子を用いても良い。また、メカニカルシャッター２のシャッタータイミングとシャッター速度は、ユーザーのレリーズ操作のタイミングに従ってヘッドＣＰＵ９からの制御により設定される。
【００３９】
ＣＣＤ撮像素子３は、その画素上に結像された被写体の光学像を電気的信号に変換する、いわゆる光電変換を行うものである。駆動回路４は転送パルスを生成して、ＣＣＤ撮像素子３に供給する回路であり、ＣＣＤ撮像素子３は、駆動回路４によって生成された転送パルスに基づいて、撮像信号を出力する。
【００４０】
ＣＤＳ（相関二重サンプリング）回路５は、ノイズを低減するための回路であり、駆動回路４から出力された駆動パルスに基づいて駆動される。ＣＣＤ撮像素子３にはＣＤＳ５が接続され、ＣＤＳ５の出力端子には、アナログ信号をデジタル信号に変換して出力するＡ／Ｄ変換回路６が接続される。このＡ／Ｄ変換回路６を介して得られたＣＣＤ撮像素子３の画素毎の画像データは、信号処理部８で補正などの処理を施される。
【００４１】
レンズユニット６２がカメラ本体６１に装着されている場合、画像データは高速シリアルドライバ１６を介してマウント接点１８、２０からカメラ本体６１に送信される。ここで、高速シリアルドライバ１６とは、ＬＶＤＳ（Ｌｏｗ Ｖｏｌｔａｇｅ Ｄｉｆｆｅｒｅｎｔｉａｌ Ｓｉｇｎａｌｉｎｇ）等の低電圧動作型の送信機であり、カメラ本体６１には同等の受信機が設けられている。高速シリアルドライバ１６は２本ないし４本の差動信号で画像データを高速にカメラ本体６１へ転送することができる。本例では、図２のようにレンズユニット６２の高速シリアルドライバ１６からカメラ本体６１の高速シリアルドライバ２６は一方向の通信となっているが、これはカメラ本体６１に同等の送信機とレンズユニットに同等の受信機を設けないことで、さらに双方向通信のドライバを用いた場合よりも低コスト化しており、ドライバ自体の駆動電圧をスペックダウンし低消費電力化をも実現するためである。
【００４２】
レンズユニット６２がカメラ本体６１より分離している場合、画像データは圧縮エンジン４９によりＪＰＥＧ等の方式で圧縮処理される。これは、画像データを無線通信によりカメラ本体６１に送信する場合に、前述の高速シリアルドライバに比較して通信速度が非常に遅いためであり、レンズユニット内で圧縮処理を施すことでスルー画の単位時間当たりのコマ数（Ｆｒａｍｅ／ｓｅｃ）を確保したり、本露光後の主画像の伝送時間が長くなって撮影のインターバルが長くなることを防止するためである。圧縮された画像データはＣＰＵバス１１と無線インターフェース１３を介してアンテナ１７よりカメラ本体６１に送信される。本例では、アンテナは２．４ＧＨｚ帯のものを使用することとする。
【００４３】
カメラ本体６１では、アンテナ１９と無線インターフェース２３を介して、もしくはマウント接点１８，２０を介して高速シリアルドライバ２６で受信した画像データは解凍エンジン５０で解凍され、スルー画の場合は本体ＣＰＵ２２によりＬＣＤドライバ３２を介してＬＣＤ３５に再生表示し、撮影された画像データであれば図示しないコンパクトフラッシュ（登録商標）カードの外付けのメモリに書き込まれる。
【００４４】
レンズユニット６２がカメラ本体６１に装着された状態においては、画像データは前述した高速シリアルドライバ１６、２６を介して送受信されるが、ペアリングなどの設定やレンズユニットの制御や状態通知などの制御系のデータはヘッドＣＰＵ９と本体ＣＰＵ２２の間において低速シリアル通信であるＵＡＲＴ１４，２４を介して通信が行われる。また、レリーズなどの高速な応答を要求される信号については、図示しない専用の信号線をヘッドＣＰＵ９に入力して割り込み処理する。一方、レンズユニット６２がカメラ本体から分離された状態においては、前述した制御系のデータとレリーズも無線通信を介して送受信される。
【００４５】
また、レンズユニット６２とカメラ本体６１を繋ぐマウント６５の接点には、レンズユニット６２の接続検出端子が設けられており、この端子は、バネヨットマウントにおいてレンズユニット６２を回転装着する際に、他のピンが全て接触してから時間を遅らせて接触するような構造となっている。図２で示すように、レンズユニット６２が分離されている場合、このピンはプルアップ２１によりＨＩＧＨレベルの信号としてＩＯ２５を介して本体ＣＰＵ２２に認識されているが、レンズユニット６２を装着した場合、レンズユニット６２内にあるプルダウン１５によりＬＯＷレベルの信号としてＩＯ２５を介して本体ＣＰＵ２２に認識されるので、カメラ本体６１はレンズユニット６２の装着及び分離を認識することができる。
【００４６】
また、レンズユニット６２とカメラ本体６１はそれぞれ不揮発性メモリ１０，２９を具備しており、レンズユニットＩＤと名称や本体ＩＤと名称、さらに認証コードなどのパラメータを格納されており、それぞれヘッドＣＰＵ９及び本体ＣＰＵ２２はペアリングや認証動作等を行う場合には読み書き可能となっている。
【００４７】
ヘッドＣＰＵ９及び本体ＣＰＵ２２には、それぞれシステムメモリ１２、２８がＣＰＵバス１１，２７を介して接続されており、ＲＡＭ（Ｒａｎｄｏｍ  Ａｃｃｅｓｓ  Ｍｅｍｏｒｙ）として使用される。
【００４８】
操作キー３３は、ＬＣＤ３５に表示された設定画面や表示された画像の操作を行うものであり、操作キーＩＯ３０により本体ＣＰＵ２２がその入力を認識して該当する処理が行われる。
【００４９】
ＵＳＢドライバ３１及びＵＳＢコネクタ３４は、ＵＳＢケーブルによってＰＣと接続してＰＣからカメラ本体６１の不揮発性メモリ２９あるいはレンズユニット６２の不揮発性メモリ１０に記録している後述するカメラ本体６１の名称もしくはレンズユニット６２の名称等の情報の変更を行うためのものである。
【００５０】
次にペアリングの動作についてフローを図３に示す。
電源が投入されるとカメラ本体６１は前述したマウント６５のピンによりレンズユニット６２の装着の有無を判定し、本体ＣＰＵ２２からの専用信号によりレンズユニット６２の電源投入を行う。レンズユニット６２は電源が投入されると、ヘッドＣＰＵ９がシステムメモリ１２などの初期化を行い、不揮発性メモリ１０からレンズユニット６２の識別情報であるレンズユニットＩＤとＭＡＣアドレスを読み出して、ＵＡＲＴ１４，２４を介してカメラ本体６１の本体ＣＰＵ２２へ送信する。本体ＣＰＵ２２は、レンズユニットＩＤとＭＡＣアドレスを不揮発性メモリ２９に記録し、カメラ本体６１の識別情報である本体ＩＤとＭＡＣアドレスをＵＡＲＴ１４，２４を介してレンズユニット６２のヘッドＣＰＵ９へ送信する。ヘッドＣＰＵ９は、本体ＩＤとＭＡＣアドレスを不揮発性メモリ１０に登録してあるカメラ本体６１のＭＡＣアドレスを検索し、一致するものが存在する場合はカメラ本体６１へＯＫ応答を返却し、存在しない場合は認証コード及びＩＰアドレスの通知要求をカメラ本体６１に送信する。なお、図３における以降の本体ＣＰＵ２２とヘッドＣＰＵ９、もしくはカメラ本体６１とレンズユニット６２の通信は全てＵＡＲＴ１４、２４経由とする。
【００５１】
本体ＣＰＵ２２は要求を受けた場合、さらにレンズユニット６２の認証コードとＩＰアドレスを発行してともにレンズユニット６２へ送信し、認証コードとＩＰアドレスをレンズユニットのＭＡＣアドレスに関連付けて不揮発性メモリ２９に記録する。ヘッドＣＰＵ９は、認証コードとＩＰアドレスを受信すると不揮発性メモリ１０に認証コードとＩＰアドレスとカメラ本体６２のＭＡＣアドレスを本体ＩＤに関連付けて記録する。その後は撮影通信を行うための撮影通信プロトコルへ移行する。
【００５２】
一方、本体ＣＰＵ２２はＯＫ応答を受けた場合、不揮発性メモリ２９に接続されているレンズユニット６２に対応したレンズユニット６２のＭＡＣアドレスが記録されているかを検索し、存在した場合は撮影通信を行うための処理へ移行する。また、存在しなかった場合は認証コードとＩＰアドレスを発行し、前述した要求があった場合と同様の一連の処理を行う。
【００５３】
次に図４にレンズユニット６２とカメラ本体６１が分離した場合の認証処理のフローを示す。このフローにおける本体ＣＰＵ２２とヘッドＣＰＵ９、もしくはカメラ本体６１とレンズユニット６２の通信は全て無線通信インターフェース１３、２３及びアンテナ１７、１９経由とする。カメラ本体６１は、電源が投入されると初期化処理が終了後に無線通信により分離しているレンズユニット６２を操作する状態である場合、不揮発性メモリ２９から読み出された全てのレンズユニットＩＤをＬＣＤ３５にリストとして表示する。ユーザの操作キーによる操作でいずれかのレンズユニット６２が選択されると、選択されたレンズユニット６２の認証コードを不揮発性メモリ２９より読み出し、カメラ本体６１のＭＡＣアドレスとレンズユニットＩＤとともに接続要求として無線通信を介してレンズユニット６２へ送信する。
【００５４】
一方、レンズユニット６２は電源投入後、初期化処理を経て不揮発性メモリ１０に記録されたレンズユニットＩＤを読み出す。前述した接続要求に含まれるレンズユニットＩＤが自身のレンズユニットＩＤと一致すると、不揮発性メモリ１０から受信したカメラ本体６１のＭＡＣアドレスに対応する本体ＩＤと認証コードを読み出して、受信したものと一致するかを判断する。一致していた場合はＯＫ応答をカメラ本体６１へ送信し、一致するものが存在しなかった場合はＮＧ応答を送信して接続要求待ちの状態に戻る。
【００５５】
本体ＣＰＵ２２は、ＮＧ応答を受信した場合、ＬＣＤ３５に接続失敗の旨を表示して、ユーザーに再度レンズユニット６２とのペアリングを行うように促す。
【００５６】
一方、ＯＫ応答を受信した場合、不揮発性メモリ２９からレンズユニット６２のＩＰアドレスを読み込み、該当ＩＰアドレスによる撮影通信プロトコルの接続要求をレンズユニット６２に送信する。レンズユニット６２は要求を受信すると、ＩＰアドレスが一致しているかを判断する。一致していた場合はＯＫ応答をカメラ本体６１へ送信して無線通信による撮影通信プロトコルを開始し、一致するものが存在しなかった場合はＮＧ応答を送信して接続要求待ちの状態に戻る。
【００５７】
ＮＧ応答を受信した場合、本体ＣＰＵ２２は、ＬＣＤ３５に接続失敗の旨を表示して、ユーザーに再度レンズユニット６２とのペアリングを行うように促す。
【００５８】
一方、ＯＫ応答を受信した場合、本体ＣＰＵ２２は、無線通信による撮影通信プロトコルを開始する。
【００５９】
図５には、レンズユニット６２に記録されているペアリングリストの削除処理のフローを示す。レンズユニット６２はカメラ本体６１に装着された状態において電源投入され初期化完了すると、ＵＡＲＴ１４経由でカメラ本体６１にレンズユニットＩＤとＭＡＣアドレスを送信する。これを受信したカメラ本体６１は同じくＵＡＲＴ２４経由でレンズユニット６２に登録されているペアリング済みのカメラ本体６２のリストを要求する。図５における以降の本体ＣＰＵ２２とヘッドＣＰＵ９、もしくはカメラ本体６１とレンズユニット６２の通信は全てＵＡＲＴ１４、２４経由とする。要求を受けたレンズユニット６２は不揮発性メモリ１０より登録されている全てのＩＤ及びＭＡＣアドレスのリストを読み込んでカメラ本体６１へ送信する。
【００６０】
レンズユニット６２の不揮発性メモリ１０に登録が全くない場合、空のリストがカメラ本体６１に送信されるが、この時、カメラ本体６１はＬＣＤ３５に登録がない旨のエラー表示を行い、ユーザーに注意を促して処理を終了する。
【００６１】
一方、受信したリストが空ではない場合、カメラ本体６１はＬＣＤ３５にリストを表示する。この時のＬＣＤ３５のペアリングリスト削除画面８０の例を示す。ペア選択項目８１にはレンズユニット６２から受信したリストが表示される。リストが枠内に収まりきれない場合は画面をスクロールさせて表示してもよい。ユーザーはこのペア選択項目８１の中より消去する対象の項目を選択する。この時の操作方法を操作説明８２としてペア選択項目８１に表示すれば、ユーザーが説明書を参照する手間が省け、より利便性が向上する。
【００６２】
前述したリストより消去対象が選択されると、カメラ本体６１はレンズユニット６２へ選択したカメラ本体のＭＡＣアドレスの削除要求を送信する。削除要求を受信したレンズユニット６２は、ヘッドＣＰＵ９からの制御で該当する本体ＩＤとＭＡＣアドレスとＩＰアドレスを不揮発性メモリ１０より消去する。消去後にヘッドＣＰＵ９は削除完了通知をカメラ本体６１に送信する。
【００６３】
削除完了通知を受信したカメラ本体６１は、本体ＣＰＵ２２にて、消去対象として選択されたＭＡＣアドレスがカメラ本体６１自身のＭＡＣアドレスと一致するかの判断を行い、一致した場合は不揮発性メモリ２９から対応するレンズユニットのＭＡＣアドレスを消去する。これによりペアリングすることがなくなったレンズユニット６２の不要な情報が消去され、不揮発性メモリ２９の容量を節約することができる。消去後は、ＬＣＤ３５に消去完了の旨を表示して処理を終了する。一方、一致しなかった場合は、ＬＣＤ３５に消去完了の旨を表示するのみで処理を終了する。
【００６４】
なお、図５における通信はＵＡＲＴ１４、２４による通信を前提としたが、無線通信を用いても良い。
【００６５】
また、ユーザーがカメラ本体６１及びレンズユニット６２に任意の名称を設定できるようにしてもよい。図７に名称を変更する処理のフローを示す。なお、最初の変更を行う前の初期状態においては工場出荷時に設定した初期名称が不揮発性メモリ１０、２９に記録されているものとする。また、設定を行う際は、カメラ本体６１とレンズユニット６２はマウント６５を介して装着されてＵＡＲＴ１４、２４による通信を行い、図１のようにカメラ本体６１のＵＳＢコネクタ３４にＵＳＢケーブル６６を介してコンピューター６７と接続して、コンピューター６７からの操作で行うものとする。
【００６６】
ユーザーがコンピューター６７において専用のソフトウェアで変更対象及び変更後の名称を入力すると、カメラ本体６１へＵＳＢコネクタ３４を介して情報が送信される。受信したカメラ本体６１では、本体ＣＰＵ２２が変更の対象がレンズユニット６２であるか否かを判断し、レンズユニット６２である場合はレンズユニット６２へ変更後の名称を含む名称変更要求をＵＡＲＴ１４，２４経由で送信する。
【００６７】
名称変更要求を受信したレンズユニット６２は、ヘッドＣＰＵ９が不揮発性メモリ１０に書き込まれているレンズユニット名を指定された名称に変更し、変更が完了するとカメラ本体６１に完了通知を送信し、さらにカメラ本体６１がコンピューター６７に完了通知を送信して処理を終了する。
【００６８】
一方、変更対象がカメラ本体６１の名称であった場合、本体ＣＰＵ２２が不揮発性メモリ２３に記録されたカメラ本体名６１を指定された名称に変更し、完了後にコンピューター６７に変更完了通知を送信して処理を終了する。
【００６９】
このようにユーザーが独自の名称をカメラ本体６１及びレンズユニット６２に設定できるようにすることで、ユーザーがカメラ本体６１及びレンズユニット６２の認識を容易にすることができる。例えば、予めカメラ本体６１がレンズユニット６２にカメラ本体６１の名称を送信し、ヘッドＣＰＵ９がレンズユニット６２中の不揮発性メモリ１０にカメラ本体６１の名称を本体ＩＤと関連付けて記録しておき、図５のフローにあるリストに名称を追加してカメラ本体６１に送信し、図６のペア選択項目８１の中のＭＡＣアドレスに代えてカメラ本体６１の名称を表示して、ユーザーが誤ったカメラ本体６１の情報を消去しないように利便性を向上させることも可能である。
【００７０】
次に、図８にレンズユニット７２とマウント７４を介して装着可能な無線通信アダプタ７１付きの電動雲台７５とレンズユニット７２とカメラ本体６１からなるカメラシステム７０を示す。ここでカメラ本体６１は図１にて図示しているため、図５では省略している。無線通信アダプタ７１には無線通信側アンテナ７３を設けカメラ本体６１との無線通信機能を持ち、このため、レンズユニット７２にはアンテナを設けない。一方、電動雲台７５にはレンズユニッ７２装着時にカメラ本体６１からの無線通信を介した操作により内蔵するアクチュエーターで無線通信アダプタ７１を上下左右に回転動作させることができる。これによりユーザーはカメラ本体６１から遠隔でレンズユニット７２の撮影方向を調整した上で撮影することができる。
【００７１】
図９はレンズユニット７２とカメラ本体６１と無線アダプタ７１の構成を示すブロック図である。ここでは、カメラ本体６１及びレンズユニット７２については、先に説明した内容と共通であるので、相違点のみの説明とする。
【００７２】
カメラ本体６１は、レンズユニット７２が分離されており、なおかつ、無線通信アダプタ７１に装着されている状態において、無線通信アダプタ７１に備えられたアンテナ４７及び無線通信インターフェース４５とカメラ本体６１に備えられたアンテナ１９及び無線通信インターフェース２３により無線通信を行うことができる。これにより本体ＣＰＵ２２からサブＣＰＵ３７へレンズユニット７２の撮影制御や、電動雲台７５の制御を行うことができる。
【００７３】
無線通信アダプタ７１は、レンズユニット７２とマウント接点３６、１０８において接続され、サブＣＰＵ３７とヘッドＣＰＵ９９は、ＵＡＲＴ３８、１０４により制御系の通信を行い、高速シリアルドライバ４１、１０６により画像データの送受信を行う。レンズユニット７２から受信した画像データは圧縮エンジン４８によりＪＰＥＧ方式等により圧縮されて無線インターフェース４５とアンテナ４７によりカメラ本体６１に送信される。また、サブＣＰＵ３７は、本体ＣＰＵ２２から電動雲台７５への制御指示を受信すると雲台制御部４６を介して図示しないアクチュエーターに指示に従った動作を行わせる。
【００７４】
ヘッドＣＰＵ９９及びサブＣＰＵ３７には、それぞれシステムメモリ１０２、４３がＣＰＵバス１０１，４２を介して接続されており、ＲＡＭ（Ｒａｎｄｏｍ  Ａｃｃｅｓｓ  Ｍｅｍｏｒｙ）として使用される。
【００７５】
サブＣＰＵ３７は、前述したカメラ本体６１と同様の方法にて、レンズユニット７２のマウント接点１０８にある接続検出端子のプルダウン１０５と、無線通信アダプタ７１のマウント接点３６にある接続検出端子のプルアップ３９と、ＩＯ４０によりレンズユニットの接続の有無を検出することができる。
【００７６】
次に無線通信アダプタ７１を介した場合のフローについて説明する。レンズユニット７２とカメラ本体６１との間のペアリング等のフローは、これまでの説明と同一であるので省略する。しかし、図１０に示す通り、カメラ本体６１からレンズユニット７２に送信されるコマンドは、無線通信アダプタ７１のサブＣＰＵ３７により雲台制御コマンドであるかを判断される。ここで雲台制御コマンドであれば雲台制御部４６へ適当な命令を送信して終了するが、そうでない場合は処理を行わずにコマンドをＵＡＲＴ３８、１０４経由でレンズユニット７２へ送信する。受信したレンズユニット７２において、ヘッドＣＰＵ９９が命令を適当に処理し、応答等を送信する時、無線通信アダプタ７１はこれを無条件にカメラ本体６１へ送信する。
【００７７】
以上のように、無線通信アダプタ７１はカメラ本体６１とレンズユニット７２の中間の位置にあり、レンズユニット７２宛て、もしくはカメラ本体６１宛ての命令については中継するのみであって、一方、電動雲台７５宛ての命令であれば雲台制御部４６にて終端する機能を実現するものである。したがって、ペアリングや撮影プロトコルなどの処理フローについては、前述したものと共通となる。
【００７８】
このような無線通信アダプタ７３付き電動雲台７５をカメラシステム７０に適用することによって、ユーザーは、わざわざレンズユニット７２が設置されている場所へ行くことなく、遠隔地にあってカメラ本体６１からの操作により自由自在に電動雲台７５を制御して撮影方向を調整することができるようになり、大幅に遠隔撮影の利便が向上する。また、レンズユニット７２に無線通信機能や画像データの圧縮機能を持つ必要がないのでシステムとしての冗長性が低減され、コストダウンにも繋がる。
【００７９】
なお、本発明における認証コードは、実施形態ではカメラ本体で生成することとしたが、工場出荷時に予めカメラ本体６１の不揮発性メモリ２９に書き込んであるものでもよい。ただし、この場合は認証コードが固定となることからカメラ本体６１は不揮発性メモリ２９にレンズユニットＩＤと関連付けて記録する必要はない。
【００８０】
また、本発明のカメラシステムの実施形態をカメラ本体６１とレンズユニット６２，７２の通信をＢｌｕｅｔｏｏｔｈの規格で実現することも可能である。この場合、カメラ本体６１の識別情報はＢＤアドレスを、認証コードにＰＩＮコードを使用する。
【００８１】
また、本発明のカメラシステムをＩＥＥＥに規定される無線ＬＡＮで実現し、カメラ本体６１の識別情報はＭＡＣアドレスを、認証コードにＷＥＰキーを使用するのも良い。この場合、カメラ本体６１がレンズユニット６２、７２からレンズユニット６２、７２の名称を受信し、前記名称をＥＳＳ  ＩＤとして無線通信を開始することも可能である。
【００８２】
さらに、単純にレンズユニット６２、７２の識別情報にレンズユニット６２，７２のＭＡＣアドレスを用いても良い。
【００８３】
なお、本発明の実施形態としては、1個のレンズユニット６２、７２に対するＩＰアドレスを用いた例を示したが、カメラ本体６１が複数のレンズユニット６２、７２に対して重複しないＩＰアドレスを発行し、同時に複数のレンズユニット６２、７２と無線通信による撮影を行うＰｔｏＭＰ（Ｐｏｉｎｔｏ−ｔｏ−Ｍｕｌｔｉｐｏｉｎｔ）方式の通信をサポートすれば適用範囲が大幅に向上する。
【００８４】
さらに、本発明の実施形態としては、認証コードをカメラ本体６１による発行としたが、これを逆にレンズユニット６２、７２による発行として、図３や図４に示したフローにおけるカメラ本体６１とレンズユニット６２、７２の立場を反転させてもよい。
【００８５】
この場合、予めレンズユニット６２、７２はカメラ本体に装着された状態でレンズユニット６２、７２の名称をカメラ本体６１に送信し、カメラ本体６１はレンズユニット６２、７２の識別情報と関連付けて内部の不揮発性メモリ１０、１００に記録しておき、前述したペアリングリストの削除を行う場合にＬＣＤ３５にレンズユニット６２、７２の名称を表示するようにしてもよい。これによりユーザーはレンズユニット６２、７２の認識が容易となる。なお、前述したようにレンズユニット６２、７２の名称はＵＳＢを通じてカメラ本体６１外部のコンピューター６７から書き換えられるようにして良い。
【００８６】
本発明の実施形態では、レンズユニット６２、７２からカメラ本体６１もしくは無線通信アダプタ７１へスルー画や画像データを送信する方法として高速シリアル通信を挙げたが、図２や図９において高速シリアルドライバ１６、２６、１０６、４１に代えて赤外線発光素子を実装することで赤外線通信を行うことも可能である。
【００８７】
本発明の無線通信アダプタ７１を用いる実施形態では、図１０のように無線通信アダプタ１０の機能は受信した命令の宛て先を判別してカメラ本体６１、レンズユニット７２、電動雲台７５に命令を転送するものとしたが、無線通信アダプタ７１に認証機能を備えるのも良い。この場合は、レンズユニット７２への装着時にレンズユニット７２よりＵＡＲＴ３８、１０４を介して本体ＩＤと認証コードを受信し、それらを用いて前述したような認証を行う。
【００８８】
また、本発明の実施形態では、デジタルカメラを例として挙げたが、カメラ本体６１を画像処理装置、レンズユニット６２を撮像装置として、以上までに述べたシステムをビデオカメラなどの撮像装置全般に適用することが可能である。
【図面の簡単な説明】
【００８９】
【図１】本発明のカメラ本体とレンズユニットから構成されるカメラシステム及び外部接続されたコンピューターの外観である。
【図２】本発明のカメラ本体とレンズユニットの構成である。
【図３】本発明のカメラ本体とレンズユニットのペアリングのフローである。
【図４】本発明のカメラ本体とレンズユニットの認証動作のフローである。
【図５】本発明のレンズユニットのペアリング済みのカメラ本体の登録リスト削除動作のフローである。
【図６】本発明のレンズユニットのペアリング済みのカメラ本体の登録リスト削除時のＬＣＤ画面表示である。
【図７】本発明のカメラ本体とレンズユニットの名称変更動作のフローである。
【図８】本発明のレンズユニットと無線通信アダプタ付き電動雲台から構成されるカメラシステムの外観である。
【図９】本発明のカメラ本体と無線通信アダプタとレンズユニットの構成である。
【図１０】本発明のカメラ本体と無線通信アダプタとレンズユニットのコマンド及び応答の処理のフローである。
【符号の説明】
【００９０】
１、９１  撮影レンズ
２、９２  メカニカルシャッター
３、９３  ＣＣＤ撮像素子
１１、２７、１０１、４２  ＣＰＵバス
１５、１０５  プルダウン
２１、３９  プルアップ
６０、７０  カメラシステム
６１  カメラ本体
６２、７２  レンズユニット
１７  レンズユニット側アンテナ
１９  カメラ本体側アンテナ
６５  マウント
６６  ＵＳＢケーブル
６７  コンピューター
７１  無線通信アダプタ
７２  レンズユニット
４７  無線通信アダプタ側アンテナ
７４  マウント
７５  電動雲台
【図１】
2007116474.tif 000003
【図２】
2007116474.tif 000004
【図３】
2007116474.tif 000005
【図４】
2007116474.tif 000006
【図５】
2007116474.tif 000007
【図６】
2007116474.tif 000008
【図７】
2007116474.tif 000009
【図８】
2007116474.tif 000010
【図９】
2007116474.tif 000011
【図１０】
2007116474.tif 000012